(57)【要約】  より品質の良い撮影データを用いて撮影対象の画像処理を行う技術を提供するために、画像の分析装置１は、選択部１０４と、帯域制御要求部１０５とを備える。選択部１０４は、複数の撮影装置の中から、第１の撮影装置に関連する第２の撮影装置を選択する。帯域制御要求部１０５は、第２の撮影装置が送信可能なデータ送信量の変更要求をネットワーク制御装置に送信する。
2019026985.tif 000002
【特許請求の範囲】
【請求項１】
複数の撮影装置の中から、第１の撮影装置に関連する第２の撮影装置を選択する選択手段と、
前記第２の撮影装置が送信可能なデータ送信量の変更要求をネットワーク制御装置に送信する帯域制御要求手段と、
を備える分析装置。
【請求項２】
前記第１の撮影装置から受信した撮影データに映る撮影対象の移動方向に基づいて当該撮影対象の移動先を推定する移動先推定手段を含み、
前記選択手段は、前記撮影対象の移動先の推定結果に基づいて第２の撮影装置を選択する
請求項１に記載の分析装置。
【請求項３】
自装置が記憶する前記撮影装置の位置情報を、前記第１の撮影装置または前記第２の撮影装置の何れかから送信されてきた情報に基づいて更新する
請求項１または請求項２に記載の分析装置。
【請求項４】
前記帯域制御要求手段は、前記変更要求として、前記第２の撮影装置が送信可能な単位時間当たりのデータ送信量の増加要求を前記ネットワーク制御装置に送信する
請求項１乃至３の何れか一項に記載の分析装置。
【請求項５】
前記帯域制御要求手段は、前記増加要求を前記ネットワーク制御装置に送信した後に、前記増加要求を送信する前の単位時間当たりのデータ送信量への減少要求を前記ネットワーク制御装置に送信する
請求項４に記載の分析装置。
【請求項６】
前記撮影装置の位置情報と、前記撮影装置の撮影方角とに基づいて、前記撮影装置それぞれの撮影範囲を算出する撮影範囲算出手段を備え、
前記選択手段は、前記撮影対象の移動先の推定結果に基づいて、前記撮影範囲が当該撮影対象の移動先を含む前記第２の撮影装置を選択する
請求項２に記載の分析装置。
【請求項７】
撮影データを送信する複数の撮影手段と、
前記複数の撮影手段の中から、第１の撮影手段に関連する第２の撮影手段を選択する選択手段と、
前記第２の撮影手段が送信可能なデータ送信量の変更要求を送信する分析手段と、
を含む分析システム。
【請求項８】
前記第１の撮影手段から受信した撮影データに映る撮影対象の移動方向に基づいて当該撮影対象の移動先を推定する移動先推定手段とを含み、
前記分析手段は、前記撮影対象の移動先の推定結果に基づいて前記第２の撮影手段を選択する
請求項７に記載の分析システム。
【請求項９】
複数の撮影装置の中から、第１の撮影装置に関連する第２の撮影装置を選択し、
前記第２の撮影装置が送信可能なデータ送信量の変更要求をネットワーク制御装置に送信する
分析方法。
【請求項１０】
分析装置のコンピュータを、
複数の撮影装置の中から、第１の撮影装置に関連する第２の撮影装置を選択する選択手段と、
前記第２の撮影装置が送信可能なデータ送信量の変更要求をネットワーク制御装置に送信する帯域制御要求手段と、
として機能させるコンピュータプログラムを記憶するプログラム記憶媒体。
【請求項１１】
複数の撮影装置の中から、撮影対象を撮影している第１の撮影装置に関連する第２の撮影装置を予め設定されている選択ルールに従って選択する選択手段と、
前記第２の撮影装置が送信可能なデータ送信量の変更要求を、ネットワークにおけるデータ通信量を制御するネットワーク制御装置に送信する帯域制御要求手段と、
を備える分析装置。
【請求項１２】
前記第１の撮影装置から受信した撮影データに映る前記撮影対象の移動方向に基づいて前記撮影対象の移動先を推定する移動先推定手段をさらに備え、
前記選択ルールは、前記撮影対象の移動先を撮影している前記撮影装置を第２の撮影装置として選択するというルールである
請求項１１に記載の分析装置。
【請求項１３】
前記撮影装置の位置情報を記憶する構成と、
記憶している前記撮影装置の位置情報を、前記第１の撮影装置または前記第２の撮影装置から送信されてきた情報に基づいて更新する構成と
をさらに備える請求項１１または請求項１２に記載の分析装置。
【請求項１４】
前記帯域制御要求手段は、前記第２の撮影装置が送信可能な単位時間当たりのデータ送信量の増加要求を前記変更要求として前記ネットワーク制御装置に送信する
請求項１１乃至１３の何れか一項に記載の分析装置。
【請求項１５】
前記帯域制御要求手段は、前記増加要求を前記ネットワーク制御装置に送信した後に予め設定された復帰条件を満たした場合に、前記増加要求を送信する前の単位時間当たりのデータ送信量に戻す減少要求を前記ネットワーク制御装置に送信する構成をさらに備える
請求項１４に記載の分析装置。
【請求項１６】
前記撮影装置の位置情報と、前記撮影装置の撮影方角の情報とに基づいて、前記撮影装置の撮影範囲を算出する撮影範囲算出手段をさらに備え、
前記選択ルールは、推定された前記撮影対象の移動先が、算出された前記撮影範囲に含まれる前記撮影装置を第２の撮影装置として選択するというルールである
請求項１２に記載の分析装置。
【請求項１７】
撮影データを送信する複数の撮影装置と、
複数の前記撮影装置の中から、撮影対象を撮影している第１の撮影装置に関連する第２の撮影装置を予め設定されている選択ルールに従って選択する選択手段と、前記第２の撮影装置が送信可能なデータ送信量の変更要求を、ネットワークにおけるデータ通信量を制御するネットワーク制御装置に送信する帯域制御要求手段とを備える分析装置と
を含む分析システム。
【請求項１８】
前記第１の撮影装置から受信した撮影データに映る前記撮影対象の移動方向に基づいて前記撮影対象の移動先を推定する移動先推定手段をさらに備え、
前記選択ルールは、前記撮影対象の移動先を撮影している前記撮影装置を第２の撮影装置として選択するというルールである
請求項１７に記載の分析システム。
【請求項１９】
複数の撮影装置の中から、撮影対象を撮影している第１の撮影装置に関連する第２の撮影装置を予め設定されている選択ルールに従って選択し、
前記第２の撮影装置が送信可能なデータ送信量の変更要求を、ネットワークにおけるデータ通信量を制御するネットワーク制御装置に送信する
分析方法。
【請求項２０】
複数の撮影装置の中から、撮影対象を撮影している第１の撮影装置に関連する第２の撮影装置を予め設定されている選択ルールに従って選択する処理と、
前記第２の撮影装置が送信可能なデータ送信量の変更要求を、ネットワークにおけるデータ通信量を制御するネットワーク制御装置に送信する処理と
をコンピュータに実行させるコンピュータプログラムを記憶するプログラム記憶媒体。
【発明の詳細な説明】
【技術分野】
【０００１】
本発明は、撮影装置から撮影画像を分析装置に送信する際のデータ量制御に係る技術に関する。
【背景技術】
【０００２】
カメラ等の撮影装置を用いて撮影対象を監視する技術が多く利用されている。撮影対象を監視する場合には、サーバなどの画像分析装置が、撮影装置から取得した撮影データに含まれる画像を処理して撮影対象を監視する。例えば、撮影対象が人である場合には、撮影データに含まれる画像中の人物が不審人物であるかどうかを判定する。なお、関連する技術として、特許文献１には被写体同定装置の技術が開示されている。特許文献１における被写体同定装置は、複数の撮像装置と接続され、当該撮像装置により撮影された映像に含まれる被写体の位置の情報を利用して複数の撮像装置の中から１つの撮像装置を選択する。そして、被写体同定装置は、選択した撮像装置の撮像フレームレートおよび画質のうち少なくとも一方を上げるための指示を、選択した撮像装置に出力する。この特許文献１に記載された技術によれば、撮像装置に接続された被写体同定装置において被写体の同定の精度の低下と、ネットワーク負荷の増大を抑制するものである。
【先行技術文献】
【特許文献】
【０００３】
【特許文献１】特開２０１６−１６３３２８号公報
【発明の概要】
【発明が解決しようとする課題】
【０００４】
しかしながら、上述の技術においては、撮影データの送信元である撮像装置に許容した送信可能な単位時間当たりのデータ送信量が一定である場合には、ネットワークにおける輻輳などに因り、品質の良い撮影データを送信先の装置が受信できない可能性が有る。また、撮影対象の画像処理をより精度良く行うことが要求される場合には、撮影対象を撮影する複数の撮影装置から費用を抑制しつつ画質の高い撮影データを受信する仕組みが求められる。【０００５】
そこで、この発明は、上述の課題を解決することのできる技術を提供することを目的としている。すなわち、本発明の主な目的は、より品質の良い撮影データを用いて撮影対象の画像処理を行うことを可能にする通信技術を提供することにある。
【課題を解決するための手段】
【０００６】
本発明の第１の態様によれば、分析装置は、複数の撮影装置の中から、第１の撮影装置に関連する第２の撮影装置を選択する選択部と、前記第２の撮影装置が送信可能なデータ送信量の変更要求をネットワーク制御装置に送信する帯域制御要求部と、を備える。【０００７】
本発明の第２の態様によれば、分析システムは、撮影データを送信する複数の撮影手段と、前記複数の撮影手段の中から、第１の撮影手段に関連する第２の撮影手段を選択する選択手段と、前記第２の撮影手段が送信可能なデータ送信量の変更要求を送信する分析手段と、を含む。【０００８】
本発明の第３の態様によれば、分析方法は、複数の撮影装置の中から、第１の撮影装置に関連する第２の撮影装置を選択し、前記第２の撮影装置が送信可能なデータ送信量の変更要求をネットワーク制御装置に送信する。【０００９】
本発明の第４の態様によれば、プログラム記憶媒体は、分析装置のコンピュータを、複数の撮影装置の中から、第１の撮影装置に関連する第２の撮影装置を選択する選択手段と、前記第２の撮影装置が送信可能なデータ送信量の変更要求をネットワーク制御装置に送信する帯域制御要求手段と、として機能させるコンピュータプログラムを記憶している。
【発明の効果】
【００１０】
本発明によれば、より品質の良い撮影データを用いて撮影対象の画像処理を行うことができる。
【図面の簡単な説明】
【００１１】
【図１】画像分析システムの構成例を示す図である。
【図２】画像分析装置のハードウェア構成例を示す図である。
【図３】画像分析装置の機能の一例を説明するブロック図である。
【図４】データベースに記憶する情報の例を示す図である。
【図５】撮影装置の撮影データの送信概要を示す第一の図である。
【図６】撮影装置の撮影データの送信概要を示す第二の図である。
【図７】画像分析装置の処理フローの一例を示す図である。
【図８】移動方向の推定概要を示す図である。
【図９】画像分析装置の最小構成例を示す図である。
【発明を実施するための形態】
【００１２】
以下、本発明の一実施形態による分析装置を備えた分析システムを図面を参照して説明する。
【００１３】
図１は本発明に係る実施形態の分析装置である画像分析装置を備えた分析システムの構成を示す図である。この実施形態の分析システムは、画像を分析する画像分析システムである。当該画像分析システム１００は、画像分析装置１、撮影装置２、ネットワーク制御装置３、基地局４、中継装置５、データベース６、モニタ７を有して構成されている。
【００１４】
画像分析装置１は撮影装置２から受信した撮影データに含まれる画像を解析する構成を備える。
【００１５】
撮影装置２は、一例として、街中に多数設置されるカメラである。撮影装置２はドローン等の飛行体や警備車両などに取り付けられて移動してもよい。撮影装置２は公衆無線網やインターネット等の通信ネットワークに接続された基地局４と中継装置５を介して画像分析装置１と接続される。
【００１６】
ネットワーク制御装置３は、中継装置５が撮影装置２に許容している単位時間当たりのデータ送信量（データ通信量）を制御する構成を備える。例えば、ネットワーク制御装置３は、通信制御手法の一つであるＰＣＲＦ（Policy and Charging Rules Function）により、データ通信を制御する。
【００１７】
基地局４は、所定の無線通信システムにおける無線基地局装置である。基地局４は、例えば、ＬＴＥ（Long Term Evolution）方式の無線通信に対応した無線基地局であるｅＮｏｄｅＢ（evolved Node B）である。
【００１８】
中継装置５は、一方の通信ネットワークから他方の通信ネットワークへデータを中継するネットワーク装置である。中継装置５は、例えばＰ−ＧＷ（Packet Data Network Gateway）である。中継装置５は、基地局４を介して、撮影装置２に許容された単位時間当たりのデータ送信量に基づいて撮影装置２との間で通信を行う。
【００１９】
データベース６は、画像分析装置１による各種情報を格納する記憶装置である。
【００２０】
モニタ７は、画像分析装置１によって選択された撮影装置２の撮影データの画像や映像を表示する表示部であり、撮影装置２の撮影データの画像や映像をリアルタイムで表示可能である。
【００２１】
図２は画像分析装置１のハードウェア構成の一例を示す図である。
【００２２】
図２における画像分析装置１は、ＣＰＵ（Central Processing Unit）１１、ＩＦ（Interface）１２、通信モジュール１３、ＲＯＭ（Read Only Memory）１４、ＲＡＭ（Random Access Memory）１５、ＨＤＤ（Hard Disk Drive）１６などの構成を備えたコンピュータである。
【００２３】
図３は画像分析装置１の機能構成を示すブロック図である。
【００２４】
画像分析装置１のＣＰＵ１１は、ＲＯＭ１４等の記憶部に記憶されているコンピュータプログラムを実行することにより、機能部として、制御部１０１、移動先推定部１０２、撮影範囲算出部１０３、選択部１０４、帯域制御要求部１０５の各機能を備える。
【００２５】
制御部１０１は他の機能部を制御する。
【００２６】
移動先推定部１０２は、第１の撮影装置２から受信した撮影データに映る撮影対象の移動方向に基づいて当該撮影対象の移動先を推定する。第１の撮影装置２は、一例として、画像分析システム１００に含まれる複数の撮影装置２のうち、所定の撮影対象を先に撮影した撮影装置２である。
【００２７】
撮影範囲算出部１０３は、撮影装置２の位置情報と、撮影装置２の撮影方角とに基づいて、撮影装置２それぞれの撮影範囲を算出する。
【００２８】
選択部１０４は第１の撮影装置２に関連する第２の撮影装置２を選択する。第２の撮影装置２は、一例として、画像分析システム１００に含まれる複数の撮影装置２のうち第１の撮影装置２の後に所定の撮影対象を撮影する可能性のある撮影装置２である。例えば、選択部１０４は、撮影対象の移動先の推定結果に基づいて第２の撮影装置２を選択する。あるいは、選択部１０４は、撮影対象の移動先の推定結果に基づいて、撮影対象の移動先を含む撮影範囲内に位置する第２の撮影装置２を選択してもよい。そのように第２の撮影装置２を選択する選択ルールが予め定められ選択部１０４に与えられており、選択部１０４は、その選択ルールに従って第２の撮影装置２を選択する。
【００２９】
帯域制御要求部１０５は、第２の撮影装置２から画像分析装置１宛てに送信される撮影データが流れるネットワークにおける第２の撮影装置２に許容する単位時間当たりのデータ送信量の増加要求（変更要求）をネットワーク制御装置３に送信する。
【００３０】
上述したような機能を有する画像分析装置１は、撮影装置２の撮影範囲に居る不審者等の人物の動線を分析し、予想される移動先にある第２の撮影装置２に許容する単位時間当たりのデータ送信量を、その人物が移動する前に予め増加させる。より詳細に説明すると、画像分析装置１を備えた画像分析システム１００では、或る撮影装置２と、その撮影装置２が撮影している不審者等の人物に関する予測移動先の候補場所を撮影する複数の撮影装置２とが画像分析装置１に接続されている。画像分析装置１は、予測移動先の候補場所を撮影する複数の撮影装置２のうち、撮影対象である不審者等の移動先としての確率の高い範囲を撮影する撮影装置２を選択する。要するに、画像分析装置１は、撮影対象である不審者等の人物を将来撮影できる撮影装置２を選択する。そして、画像分析装置１はその撮影装置２に許容する単位時間当たりのデータ送信量を増加する制御を行う。
【００３１】
画像分析装置１がこのような処理を行うことにより、不審者等の人物の移動先にある撮影装置２に許容する単位時間当たりのデータ送信量の増加を予め行うように制御できる。これにより、画像分析システム１００は、例えば不審者がバイクなどによって移動しているとしても、その移動先の撮影装置２において、素早く高精細の撮影データを画像分析装置１などの転送先へ転送することができるようになる。
【００３２】
図４はデータベース６が記憶する撮影装置２に関わる情報を説明する図である。
【００３３】
データベース６には、図４に示すように、撮影装置ＩＤ（IDentification）、撮影装置の位置情報（緯度、経度、高度）、撮影方角、撮影角度、加入者ＩＤ（IDentification）、撮影範囲、装置種別が関連付けられて記憶されている。
【００３４】
撮影装置ＩＤや撮影装置２の位置情報は、撮影装置２が画像分析装置１に送信した情報であり、画像分析装置１によりデータベース６に格納される。例えば、撮影装置２は、ＧＰＳ（Global Positioning System）機能を備えており、ＧＰＳ機能によってＧＰＳ衛星から受信した信号に基づいて自装置の位置情報を算出し、その位置情報と予めメモリ等の記憶部に記憶している撮影装置ＩＤや装置種別の情報を画像分析装置１へ送信する。あるいは、撮影装置２の位置情報は管理者が撮影装置２に手動で入力、設定した情報であってもよい。また、撮影装置２は、例えば、地磁気センサや加速度センサを備え、地磁気センサの検出値に基づいて検出した撮影方角や、加速度センサを用いて検出した撮影角度の情報を画像分析装置１へ送信する。画像分析装置１は撮影装置２から受信したそれら情報を関連付けてデータベース６に記録する。また、画像分析装置１は、ネットワークキャリア企業のサーバから加入者ＩＤ（通信網を利用する際に用いる識別情報）を受信し、その加入者ＩＤを撮影装置ＩＤにさらに関連付けてデータベース６に記録するようにしてもよい。
【００３５】
撮影範囲は例えば複数の緯度・経度・高度の情報により定義されている。この撮影範囲の情報は撮影装置２の位置情報と撮影方角、撮影角度に基づいて画像分析装置１が計算した情報である。あるいは、管理者が撮影範囲の情報を画像分析装置１に入力してもよい。画像分析装置１は、撮影範囲を算出する際に撮影装置２の焦点距離などの情報をさらに用いて、例えば撮影範囲を算出する数式にそれらの値を代入して撮影範囲を算出してもよい。なお、撮影範囲の算出は、撮影範囲算出部１０２によって行われることに限定せず、画像分析システム１００外部の装置によって実行され、算出された撮影範囲の情報が画像分析装置１に入力されてもよい。
【００３６】
装置種別の情報は、例えば撮影装置２が固定設置（Fixed）されたものであるのか、警備車両（Patrol car）やドローン（Drone）に備わるものであるのか、人が装着しているウェアラブルなものであるのかなどの情報を示す。撮影装置２の装置種別が警備車両やドローンを示す場合、その撮影装置２の位置情報は頻繁に更新される。画像分析装置１はそのような位置情報が頻繁に更新される撮影装置２を装置種別に基づいて判定し、このような撮影装置２に対しては撮影状態を確認するための確認要求などを送信してもよい。撮影状態を確認するための確認要求に基づいて、撮影装置２は、位置情報、撮影方角、撮影角度などを含む撮影状態情報を画像分析装置１へ送信する。画像分析装置１は受信した撮影状態情報に含まれる、位置情報、撮影方角、撮影角度などを用いて撮影範囲を繰り返し算出する。つまり、画像分析装置１は装置種別に応じた異なる処理を行うようにしてもよい。
【００３７】
図５は撮影装置の撮影データの送信概要を示す第一の図である。
【００３８】
図５においては、３つの撮影装置２ａ、２ｂ、２ｃがそれぞれ１Ｍｂｐｓのデータ送信量をネットワークキャリアから許容されている。また、３つの撮影装置２ａ、２ｂ、２ｃは、警備会社などの管理者が管理している撮影装置２である。ここでは、各撮影装置２ａ、２ｂ、２ｃから画像分析装置１へのデータの送信に関し、ネットワークキャリアが許容している単位時間当たりの合計のデータ送信量が４Ｍｂｐｓである。このような状況において何れかの撮影装置２において、所定の撮影対象が撮影できたことにより高画質の画像を送信しようとしたとする。しかしながら、単位時間当たりのデータ送信量を許容量を超えて増加させるまでには時間がかかるため、撮影装置２は、データ送信量の設定の許容量に起因したトラフィックの問題により、撮影対象が映っている間に高画質の撮影データを送信できない場合が想定される。このような事態を考慮して、各撮影装置２ａ、２ｂ、２ｃに許容する単位時間当たりのデータ送信量を予め多くしてしまうと、そのようなデータ量を送信するための帯域確保を維持するためにコストが増大してしまう。
【００３９】
図６は撮影装置の撮影データの送信概要を示す第二の図である。
【００４０】
図６においても、撮影装置２ａ、２ｂ、２ｃが表されている。本実施形態の画像分析装置１を備えた画像分析システム１００においては、撮影装置２ａにおいて所望の撮影対象が撮影できた場合、画像分析装置１がその撮影対象の移動先と推定される撮影装置２ｂまたは撮影装置２ｃを選択する。画像分析装置１は例えば移動先と推定される撮影装置２が撮影装置２ｃであると選択した場合、撮影装置２ｃに許容する単位時間当たりの撮影データ送信量を１Ｍｂｐｓから２Ｍｂｐｓへ増加するように制御する。
【００４１】
図７は画像分析装置の処理フローを示す図である。
【００４２】
次に、画像分析装置１と他の装置が連携して画像分析処理を行う際の処理フローについて説明する。
【００４３】
データベース６には、撮影装置２に関する前述したような撮影状態の情報が予め記憶されているとする。また、画像分析装置１は撮影装置２から位置情報、撮影方角、撮影角度などを含む撮影状態の情報を繰り返し受信する。さらに、画像分析装置１は、撮影装置２から受信した撮影状態の情報に含まれる位置情報、撮影方角、撮影角度の情報と、データベース６に記憶されている情報とが一致するかを判定する。さらにまた、画像分析装置１は、一致しない場合には、データベース６に記憶されている情報を、新たに撮影装置２から受信した情報へと更新する。
【００４４】
撮影範囲算出部１０３は、撮影状態の情報が更新された場合には、更新後の位置情報、撮影方角、撮影角度を、撮影範囲を算出する数式に代入することにより、撮影範囲を算出する。撮影範囲算出部１０３は、データベース６に記憶されている撮影範囲の情報を更新する。画像分析装置１においては、撮影装置２から撮影状態の情報を受信する度に、上述したような情報の更新を行う。
【００４５】
このような状況において、各撮影装置２は撮影データを画像分析装置１へ送信する。単位時間当たりの撮影データの送信量は中継装置５が記憶している。中継装置５が撮影装置２との間のセッション管理を行うことにより各撮影装置２に許容された単位時間当たりの撮影データ送信量の範囲で、撮影装置２の撮影データが送信される。画像分析装置１は撮影データを受信する（ステップＳ１０１）。画像分析装置１の移動先推定部１０２は各撮影装置２から受信した撮影データに含まれる画像を解析して撮影対象である人物が検出できたかどうかを判定する（ステップＳ１０２）。
【００４６】
なお、撮影装置２が撮影対象である人物の挙動や人物特定を行って、その結果その人物が撮影対象である不審者であるかどうかを判定するようにしてもよい。また、撮影対象は人物に限らない。撮影対象は例えば自動車、自転車、バイクなどの車両であってもよいし、動物であってもよいし、不自然な動きをする物体（不審者が被った段ボール、撮影装置２の撮影範囲の外部から差し入れられた棒など）であってもよい。
【００４７】
移動先推定部１０２は、画像分析装置１に接続されている複数の撮影装置２の中から、人物を検出した画像を含む処理中の撮影データの送信元の撮影装置２を選択する。移動先推定部１０２は、送信元の撮影装置２における撮影状態情報をデータベース６に格納されている撮影装置に係る情報から読み取る。移動先推定部１０２は、検出した人物の移動方向を推定する。
【００４８】
図８は移動方向の推定概要を示す図である。
【００４９】
例えば、移動先推定部１０２は、撮影データに含まれる連続する複数枚の画像に映る人物の位置に基づいて、撮影データが示す画像における人物の移動方向を示す画像内移動ベクトル（ｖ１）を算出する。また、移動先推定部１０２は、撮影データの送信元の撮影装置２の撮影状態情報に含まれる撮影方角（ｖ２）を用いて、画像内移動ベクトル（ｖ１）に対応する実空間における移動方向ベクトル（ｖ３）を算出する（ステップＳ１０３）。例えば、撮影方角（ｖ２）が南であり、画像内移動ベクトル（ｖ１）が矩形の画像領域の右方向を示す場合には、図８に示すように、それらのベクトルに基づいて、西方向が移動方向ベクトル（ｖ３）となる。
【００５０】
移動先推定部１０２は、撮影対象の単位時間当たりの移動量に応じて所定時間後の移動先の範囲を推定してもよい。移動先推定部１０２は、実空間の移動方向ベクトル（ｖ３）を選択部１０４へ出力する。移動先推定部１０２は、所定時間後の移動先の範囲を選択部１０４へ出力してもよい。移動先推定部１０２は、単位時間当たりの移動量を選択部１０４へ出力してもよい。
【００５１】
選択部１０４は、データベース６に記憶されている各撮影装置２の撮影範囲と、送信元の撮影装置２の位置情報を基準とした実空間における撮影対象の移動方向ベクトル（ｖ３）とを比較する。選択部１０４は、その比較に基づいて、移動方向ベクトル（ｖ３）が向いている先の撮影範囲を有する１つまたは複数の第２の撮影装置２を選択する（ステップＳ１０４）。この選択した撮影装置２は、人物などの撮影対象の移動によって、撮影対象が映っている画像を含む撮影データの送信元の撮影装置２がその撮影対象が撮影できなくなった後に、その撮影対象を将来撮影する可能性のある撮影装置２（第２の撮影装置２）である。選択部１０４は、選択した第２の撮影装置２の撮影装置ＩＤを、データベース６に記憶されている撮影装置情報から検出する。選択部１０４は、選択した第２の撮影装置２の撮影装置ＩＤを帯域制御要求部１０５へ出力する。
【００５２】
なお、選択部１０４は、移動方向ベクトル（ｖ３）に加えて、所定時間後の移動先の範囲や、単位時間当たりの撮影対象の移動量を用いて、撮影装置２を選択するようにしてもよい。例えば、選択部１０４は、所定時間後の移動先の範囲と、第２の撮影装置２の撮影範囲が重なるかどうかを判定する。所定時間は単位時間当たりの移動量に基づいて算出されてもよい。例えば単位時間当たりの移動量が大きい場合には所定時間は短く設定され、単位時間当たりの移動量が少ない場合には所定時間は長く設定される。選択部１０４は、単位時間当たりの撮影対象の移動量に基づいて、撮影対象が位置する範囲を定め、その範囲に属する第２の撮影装置２の中から、１つまたは複数の撮影装置２を選択するようにしてもよい。選択部１０４は、第２の撮影装置２を選択できない場合には処理を終了してもよい。または、画像分析装置１は、選択部１０４が第２の撮影装置２を選択できない場合には、ウェアラブルカメラを装着した人物や撮影装置２を搭載したドローンを、第１の撮影装置２で撮影された人物などの撮影対象に向けて移動するよう指示する制御を行ってもよい。
【００５３】
帯域制御要求部１０５は、選択された撮影装置２の撮影装置ＩＤを含む単位時間当たりのデータ送信量の増加要求をネットワーク制御装置３に送信する（ステップＳ１０５）。ネットワーク制御装置３は、増加要求に含まれる撮影装置ＩＤと増加要求を中継装置５へ出力する。中継装置５は、増加要求を受けて、撮影装置ＩＤが示す撮影装置２について自装置で記憶する単位時間当たりのデータ送信量を増加後のデータ送信量に書き換える。これにより、中継装置５は、撮影対象の移動先においてその撮影対象を撮影する可能性のある撮影装置２に許容する単位時間当たりの撮影データのデータ送信量を増加させることができる。
【００５４】
上述の処理によれば、撮影対象の移動先と推定される位置を撮影範囲として含む撮影装置２に関し、画像分析装置１およびそれを備えた画像分析システム１００は、許容する単位時間当たりの撮影データの送信量を撮影対象が移動する前に予め増加させておく。不審者などの撮影対象が撮影された直後にその撮影装置２において撮影データの画質を高画質に変更して画像分析装置１に送信しようとした場合、単位時間当たりの送信量が少ないことによるネットワークの輻輳等が発生する可能性がある。このような場合には、画像分析装置１は、撮影装置２が送信した高画質の撮影データを受信できない可能性が有るが、上述の処理によればこのような問題を解決できる。
【００５５】
また、特に不審者が車やバイク等に乗っている場合には、その不審者の顔を映す高画質の撮影データを画像分析装置１で解析したいものの、撮影範囲に入り、また撮影範囲から外れてしまうまでの時間が短い。したがって、通常は低画質で撮影データを配信している撮影装置２は高画質の撮影データを配信できない。しかしながら、本実施形態による画像分析装置１は、上述したような処理により、そのような問題を解決することができる。
【００５６】
なお、画像分析装置１は、撮影対象の移動先を撮影範囲に含む第２の撮影装置２を選択する際に、撮影対象の移動方向や移動先の位置情報以外の情報をさらに用いて、第２の撮影装置２を選択するようにしてもよい。例えば、複数の撮影装置２がそれぞれ警備車両に搭載されているとする。このような場合において、画像分析装置１は、道路の混雑状況をさらに判定する。画像分析装置１が混雑状況を判定する手法は限定されない。道路の混雑状況が所定の度合以上であると判定した場合、画像分析装置１は、撮影装置２の位置や撮影対象である不審車両の移動先の位置に基づいて道路脇に設置されている予め定められた１つまたは複数の撮影装置２を選択する。そして、画像分析装置１は、その撮影装置２に許容している単位時間当たりの撮影データの送信量が増大するようにデータ送信量を制御する。これにより、画像分析装置１は、位置情報だけでなく道路の混雑状況をも考慮して撮影装置２を選択できる。
【００５７】
また、画像分析装置１は、解析対象の撮影データを用いる用途に応じた撮影装置２を選択するようにしてもよい。例えば、固定設置された撮影装置２から得た撮影データにおいて不審者を検出した場合には、その不審者に関するより多くの情報（より鮮明な顔画像、車のナンバープレート等）を取得するために、画像分析装置１は、移動型の撮影装置２（ウェアラブルカメラやドローン）の中から第２の撮影装置２を選択するようにしてもよい。また、画像分析装置１は、不審者の移動ベクトルを予測するために情報が不足している場合に、撮影装置２を選択する範囲を拡張してもよいし、周辺地図の把握や動線監視をするために移動型の撮影装置２を選択してもよい。
【００５８】
上述の画像分析システム１００に備わるモニタ７は、撮影装置２が撮影した撮影データを中継装置５から受信した場合に、その受信した画像や映像を出力することができる。例えば、管理者が撮影装置２を指定して、その指定された撮影装置２の画像や映像をモニタ７が出力する。モニタ７は、例えば、携帯電話、タブレット端末、パーソナルコンピュータ等の携帯端末であってよい。また、モニタ７は、画像分析装置１が行った移動対象の移動方向ベクトル（ｖ３）や移動先の情報を画像分析装置１から受信して表示してもよい。また、画像分析装置１は、地図画像上に表示した複数の撮影装置２のアイコン画像のうち、撮影対象の移動先に基づいて選択した撮影装置２のアイコン画像を点滅あるいは拡大させた画像情報をモニタ７に出力してもよい。なお、モニタ７は、ユーザの操作により、過去の映像を表示してもよいし、画像分析装置１によって選択された撮影装置２以外の撮影装置２の映像を表示してもよい。
【００５９】
画像分析装置１の帯域制御要求部１０５は、単位時間当たりのデータ送信量を増加させる要求をネットワーク制御装置３に送信した所定時間経過後に、その増加を増加前の単位時間当たりのデータ送信量に戻す減少要求を当該装置に送信するようにしてもよい。これにより、撮影装置２において所望の撮影対象を撮影していない状況においては、撮影装置２に割り当てられる帯域幅を削減することができる。画像分析装置１の帯域制御要求部１０５は、撮影装置２から得られた画像データに基づいて不審者が通り過ぎたことを検知した場合や、ユーザの指示を取得した場合に、データ送信の許容量を増加した撮影装置２に向けて増加前の単位時間当たりのデータ送信量に戻す減少要求を送信してもよい。帯域制御要求部１０５は、上記のような復帰条件を満たした場合に、増加前の単位時間当たりのデータ送信量に戻す機能を備えていてもよい。
【００６０】
画像分析装置１は、自装置において撮影対象の移動方向ベクトル（ｖ３）を算出する代わりに、他の装置から移動方向ベクトル（ｖ３）を取得し、その取得した情報に基づいて撮影対象の移動先と想定される撮影装置２を選択するようにしてもよい。
【００６１】
また、上述の処理においては撮影データ内の画像に映る撮影対象を画像分析装置１が検出する場合について説明したが、撮影装置２や他の装置が画像中の撮影対象の検出を行うようにしてもよい。
【００６２】
図９は画像分析装置の最小構成を示す図である。
【００６３】
この図が示すように画像分析装置１は、選択部１０４と帯域制御要求部１０５の機能を備えればよい。選択部１０４は、複数の撮影装置の中から、第１の撮影装置に関連する第２の撮影装置を選択する。帯域制御要求部１０５は、第２の撮影装置が送信可能なデータ送信量の変更要求をネットワーク制御装置３に送信する。
【００６４】
上述の各装置は内部に、コンピュータシステムを有している。そして、各装置に上述した各処理を行わせるためのコンピュータプログラムは、それら装置のコンピュータ読み取り可能な記憶媒体に記憶されており、このコンピュータプログラムをそれら装置のコンピュータが読み出して実行することによって、上記処理が行われる。ここで、コンピュータ読み取り可能な記憶媒体とは、磁気ディスク、光磁気ディスク、ＣＤ−ＲＯＭ（Compact Disc - Read Only Memory）、ＤＶＤ−ＲOＭ(Digital Versatile Disc - Read Only Memory)、半導体メモリ等をいう。また、このコンピュータプログラムを通信回線によってコンピュータに配信し、この配信を受けたコンピュータが当該プログラムを実行するようにしても良い。
【００６５】
また、上記コンピュータプログラムは、前述した各処理部の機能の一部を実現するためのものであってもよい。さらに、前述した機能をコンピュータシステムにすでに記憶されているコンピュータプログラムとの組み合わせで実現できるもの、いわゆる差分ファイル（差分プログラム）であってもよい。
【００６６】
上記の実施形態の一部又は全部は、以下の付記のようにも記載されうるが、以下には限られない。
（付記１）
複数の撮影装置の中から、第１の撮影装置に関連する第２の撮影装置を選択する選択部と、
前記第２の撮影装置が送信可能なデータ送信量の変更要求をネットワーク制御装置に送信する帯域制御要求部と、
を備える分析装置。
（付記２）
前記第１の撮影装置から受信した撮影データに映る撮影対象の移動方向に基づいて当該撮影対象の移動先を推定する移動先推定部を含み、
前記選択部は、前記撮影対象の移動先の推定結果に基づいて第２の撮影装置を選択する
付記１に記載の分析装置。
（付記３）
自装置が記憶する前記撮影装置の位置情報を、前記第１の撮影装置または前記第２の撮影装置の何れかから送信されてきた情報に基づいて更新する
付記１または付記２に記載の分析装置。
（付記４）
前記帯域制御要求部は、前記変更要求として、前記第２の撮影装置が送信可能な単位時間当たりのデータ送信量の増加要求を前記ネットワーク制御装置に送信する
付記１乃至３の何れか一項に記載の分析装置。
（付記５）
前記帯域制御要求部は、前記増加要求を前記ネットワーク制御装置に送信した後に、前記増加要求を送信する前の単位時間当たりのデータ送信量への減少要求を前記ネットワーク制御装置に送信する
付記４に記載の分析装置。
（付記６）
前記撮影装置の位置情報と、前記撮影装置の撮影方角とに基づいて、前記撮影装置それぞれの撮影範囲を算出する撮影範囲算出部を備え、
前記選択部は、前記撮影対象の移動先の推定結果に基づいて、前記撮影範囲が当該撮影対象の移動先を含む前記第２の撮影装置を選択する
付記２に記載の分析装置。
（付記７）
撮影データを送信する複数の撮影部と、
前記複数の撮影部の中から、第１の撮影部に関連する第２の撮影部を選択する選択部と、
前記第２の撮影部が送信可能なデータ送信量の変更要求を送信する分析部と、
を含む分析システム。
（付記８）
前記第１の撮影部から受信した撮影データに映る撮影対象の移動方向に基づいて当該撮影対象の移動先を推定する移動先推定部とを含み、
前記分析部は、前記撮影対象の移動先の推定結果に基づいて前記第２の撮影部を選択する
付記７に記載の分析システム。
（付記９）
複数の撮影装置の中から、第１の撮影装置に関連する第２の撮影装置を選択し、
前記第２の撮影装置が送信可能なデータ送信量の変更要求をネットワーク制御装置に送信する
分析方法。
（付記１０）
分析装置のコンピュータを、
複数の撮影装置の中から、第１の撮影装置に関連する第２の撮影装置を選択する選択部と、
前記第２の撮影装置が送信可能なデータ送信量の変更要求をネットワーク制御装置に送信する帯域制御要求部と、
として機能させるコンピュータプログラムを記憶するプログラム記憶媒体。
（付記１１）
複数の撮影装置の中から、撮影対象を撮影している第１の撮影装置に関連する第２の撮影装置を予め設定されている選択ルールに従って選択する選択部と、
前記第２の撮影装置が送信可能なデータ送信量の変更要求を、ネットワークにおけるデータ通信量を制御するネットワーク制御装置に送信する帯域制御要求部と、
を備える分析装置。
（付記１２）
前記第１の撮影装置から受信した撮影データに映る前記撮影対象の移動方向に基づいて前記撮影対象の移動先を推定する移動先推定部をさらに備え、
前記選択ルールは、前記撮影対象の移動先を撮影している前記撮影装置を第２の撮影装置として選択するというルールである
付記１１に記載の分析装置。
（付記１３）
前記撮影装置の位置情報を記憶する構成と、
記憶している前記撮影装置の位置情報を、前記第１の撮影装置または前記第２の撮影装置から送信されてきた情報に基づいて更新する構成と
をさらに備える付記１１または付記１２に記載の分析装置。
（付記１４）
前記帯域制御要求部は、前記第２の撮影装置が送信可能な単位時間当たりのデータ送信量の増加要求を前記変更要求として前記ネットワーク制御装置に送信する
付記１１乃至１３の何れか一項に記載の分析装置。
（付記１５）
前記帯域制御要求部は、前記増加要求を前記ネットワーク制御装置に送信した後に予め設定された復帰条件を満たした場合に、前記増加要求を送信する前の単位時間当たりのデータ送信量に戻す減少要求を前記ネットワーク制御装置に送信する構成をさらに備える
付記１４に記載の分析装置。
（付記１６）
前記撮影装置の位置情報と、前記撮影装置の撮影方角の情報とに基づいて、前記撮影装置の撮影範囲を算出する撮影範囲算出部をさらに備え、
前記選択ルールは、推定された前記撮影対象の移動先が、算出された前記撮影範囲に含まれる前記撮影装置を第２の撮影装置として選択するというルールである
付記１２に記載の分析装置。
（付記１７）
撮影データを送信する複数の撮影装置と、
複数の前記撮影装置の中から、撮影対象を撮影している第１の撮影装置に関連する第２の撮影装置を予め設定されている選択ルールに従って選択する選択部と、前記第２の撮影装置が送信可能なデータ送信量の変更要求を、ネットワークにおけるデータ通信量を制御するネットワーク制御装置に送信する帯域制御要求部とを備える分析装置と
を含む分析システム。
（付記１８）
前記第１の撮影装置から受信した撮影データに映る前記撮影対象の移動方向に基づいて前記撮影対象の移動先を推定する移動先推定部をさらに備え、
前記選択ルールは、前記撮影対象の移動先を撮影している前記撮影装置を第２の撮影装置として選択するというルールである
付記１７に記載の分析システム。
（付記１９）
複数の撮影装置の中から、撮影対象を撮影している第１の撮影装置に関連する第２の撮影装置を予め設定されている選択ルールに従って選択し、
前記第２の撮影装置が送信可能なデータ送信量の変更要求を、ネットワークにおけるデータ通信量を制御するネットワーク制御装置に送信する
分析方法。
（付記２０）
複数の撮影装置の中から、撮影対象を撮影している第１の撮影装置に関連する第２の撮影装置を予め設定されている選択ルールに従って選択する処理と、
前記第２の撮影装置が送信可能なデータ送信量の変更要求を、ネットワークにおけるデータ通信量を制御するネットワーク制御装置に送信する処理と
をコンピュータに実行させるコンピュータプログラムを記憶するプログラム記憶媒体。
【００６７】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００６８】
この出願は、２０１７年８月３日に出願された日本出願特願２０１７−１５０５９０を基礎とする優先権を主張し、その開示の全てをここに取り込む。
【符号の説明】
【００６９】
１  画像分析装置
２  撮影装置
３  ネットワーク制御装置
４  基地局
５  中継装置
６  データベース
７  モニタ
１０１  制御部
１０２  移動先推定部
１０３  撮影範囲算出部
１０４  選択部
１０５  帯域制御要求部
【図１】
2019026985.tif 000003
【図２】
2019026985.tif 000004
【図３】
2019026985.tif 000005
【図４】
2019026985.tif 000006
【図５】
2019026985.tif 000007
【図６】
2019026985.tif 000008
【図７】
2019026985.tif 000009
【図８】
2019026985.tif 000010
【図９】
2019026985.tif 000011
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
複数の撮影装置の中から、第１の撮影装置に関連する第２の撮影装置を選択する選択手段と、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する帯域制御要求手段と、
を備える分析装置。
【請求項２】
前記第１の撮影装置から受信した撮影データに映る撮影対象の移動方向に基づいて当該撮影対象の移動先を推定する移動先推定手段を含み、
前記選択手段は、前記撮影対象の移動先の推定結果に基づいて第２の撮影装置を選択する
請求項１に記載の分析装置。
【請求項３】
自装置が記憶する前記撮影装置の位置情報を、前記第１の撮影装置または前記第２の撮影装置の何れかから送信されてきた情報に基づいて更新する
請求項１または請求項２に記載の分析装置。
【請求項４】
前記帯域制御要求手段は、前記変更要求として、前記第２の撮影装置が送信可能な単位時間当たりのデータ送信量を増加させる増加要求を前記ネットワーク制御装置に送信する
請求項１乃至３の何れか一項に記載の分析装置。
【請求項５】
前記帯域制御要求手段は、前記増加要求を前記ネットワーク制御装置に送信した後に、前記増加要求を送信する前の単位時間当たりのデータ送信量に戻す減少要求を前記ネットワーク制御装置に送信する
請求項４に記載の分析装置。
【請求項６】
前記撮影装置の位置情報と、前記撮影装置の撮影方角とに基づいて、前記撮影装置それぞれの撮影範囲を算出する撮影範囲算出手段を備え、
前記選択手段は、前記撮影対象の移動先の推定結果に基づいて、前記撮影範囲が当該撮影対象の移動先を含む前記第２の撮影装置を選択する
請求項２に記載の分析装置。
【請求項７】
撮影データを送信する複数の撮影手段と、
前記複数の撮影手段の中から、第１の撮影手段に関連する第２の撮影手段を選択する選択手段と、
ネットワークにおけるデータ通信量を制御するネットワーク制御装置に、前記第２の撮影手段に許容される単位時間当たりのデータ送信量を変更させるべく、前記第２の撮影装置に関するデータ送信量の変更要求を前記ネットワーク制御装置に送信する分析手段と、
を含む分析システム。
【請求項８】
前記第１の撮影手段から受信した撮影データに映る撮影対象の移動方向に基づいて当該撮影対象の移動先を推定する移動先推定手段を含み、
前記選択手段は、前記撮影対象の移動先の推定結果に基づいて前記第２の撮影手段を選択する
請求項７に記載の分析システム。
【請求項９】
複数の撮影装置の中から、第１の撮影装置に関連する第２の撮影装置を選択し、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する
分析方法。
【請求項１０】
分析装置のコンピュータを、
複数の撮影装置の中から、第１の撮影装置に関連する第２の撮影装置を選択する選択手段と、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する帯域制御要求手段と、
として機能させるコンピュータプログラムを記憶するプログラム記憶媒体。
【請求項１１】
複数の撮影装置の中から、撮影対象を撮影している第１の撮影装置に関連する第２の撮影装置を予め設定されている選択ルールに従って選択する選択手段と、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する帯域制御要求手段と、
を備える分析装置。
【請求項１２】
前記第１の撮影装置から受信した撮影データに映る前記撮影対象の移動方向に基づいて前記撮影対象の移動先を推定する移動先推定手段をさらに備え、
前記選択ルールは、前記撮影対象の移動先を撮影している前記撮影装置を第２の撮影装置として選択するというルールである
請求項１１に記載の分析装置。
【請求項１３】
前記撮影装置の位置情報を記憶する構成と、
記憶している前記撮影装置の位置情報を、前記第１の撮影装置または前記第２の撮影装置から送信されてきた情報に基づいて更新する構成と
をさらに備える請求項１１または請求項１２に記載の分析装置。
【請求項１４】
前記帯域制御要求手段は、前記第２の撮影装置が送信可能な単位時間当たりのデータ送信量を増加させる増加要求を前記変更要求として前記ネットワーク制御装置に送信する
請求項１１乃至１３の何れか一項に記載の分析装置。
【請求項１５】
前記帯域制御要求手段は、前記増加要求を前記ネットワーク制御装置に送信した後に予め設定された復帰条件を満たした場合に、前記増加要求を送信する前の単位時間当たりのデータ送信量に戻す減少要求を前記ネットワーク制御装置に送信する構成をさらに備える
請求項１４に記載の分析装置。
【請求項１６】
前記撮影装置の位置情報と、前記撮影装置の撮影方角の情報とに基づいて、前記撮影装置の撮影範囲を算出する撮影範囲算出手段をさらに備え、
前記選択ルールは、推定された前記撮影対象の移動先が、算出された前記撮影範囲に含まれる前記撮影装置を第２の撮影装置として選択するというルールである
請求項１２に記載の分析装置。
【請求項１７】
撮影データを送信する複数の撮影装置と、
複数の前記撮影装置の中から、撮影対象を撮影している第１の撮影装置に関連する第２の撮影装置を予め設定されている選択ルールに従って選択する選択手段と、ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する帯域制御要求手段とを備える分析装置と
を含む分析システム。
【請求項１８】
前記第１の撮影装置から受信した撮影データに映る前記撮影対象の移動方向に基づいて前記撮影対象の移動先を推定する移動先推定手段をさらに備え、
前記選択ルールは、前記撮影対象の移動先を撮影している前記撮影装置を第２の撮影装置として選択するというルールである
請求項１７に記載の分析システム。
【請求項１９】
複数の撮影装置の中から、撮影対象を撮影している第１の撮影装置に関連する第２の撮影装置を予め設定されている選択ルールに従って選択し、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する
分析方法。
【請求項２０】
複数の撮影装置の中から、撮影対象を撮影している第１の撮影装置に関連する第２の撮影装置を予め設定されている選択ルールに従って選択する処理と、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する処理と
をコンピュータに実行させるコンピュータプログラムを記憶するプログラム記憶媒体。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
複数の撮影装置の中から、撮影対象を撮影している第１の撮影装置に関連する第２の撮影装置を予め設定されている選択ルールに従って選択する選択手段と、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する帯域制御要求手段と、
を備える分析システム。
【請求項２】
前記第１の撮影装置から受信した撮影データに映る前記撮影対象の移動方向に基づいて前記撮影対象の移動先を推定する移動先推定手段をさらに備え、
前記選択ルールは、前記撮影対象の移動先を撮影している前記撮影装置を第２の撮影装置として選択するというルールである
請求項１に記載の分析システム。
【請求項３】
前記撮影装置の位置情報を記憶する構成と、
記憶している前記撮影装置の位置情報を、前記第１の撮影装置または前記第２の撮影装置から送信されてきた情報に基づいて更新する構成と
をさらに備える請求項１または請求項２に記載の分析システム。
【請求項４】
前記帯域制御要求手段は、前記第２の撮影装置が送信可能な単位時間当たりのデータ送信量を増加させる増加要求を前記変更要求として前記ネットワーク制御装置に送信する
請求項１乃至３の何れか一項に記載の分析システム。
【請求項５】
前記帯域制御要求手段は、前記増加要求を前記ネットワーク制御装置に送信した後に予め設定された復帰条件を満たした場合に、前記増加要求を送信する前の単位時間当たりのデータ送信量に戻す減少要求を前記ネットワーク制御装置に送信する構成をさらに備える
請求項４に記載の分析システム。
【請求項６】
前記撮影装置の位置情報と、前記撮影装置の撮影方角の情報とに基づいて、前記撮影装置の撮影範囲を算出する撮影範囲算出手段をさらに備え、
前記選択ルールは、推定された前記撮影対象の移動先が、算出された前記撮影範囲に含まれる前記撮影装置を第２の撮影装置として選択するというルールである
請求項２に記載の分析システム。
【請求項７】
撮影データを送信する複数の撮影装置と、
複数の前記撮影装置の中から、撮影対象を撮影している第１の撮影装置に関連する第２の撮影装置を予め設定されている選択ルールに従って選択する選択手段と、ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する帯域制御要求手段とを備える分析装置と
を含む分析システム。
【請求項８】
前記第１の撮影装置から受信した撮影データに映る前記撮影対象の移動方向に基づいて前記撮影対象の移動先を推定する移動先推定手段をさらに備え、
前記選択ルールは、前記撮影対象の移動先を撮影している前記撮影装置を第２の撮影装置として選択するというルールである
請求項７に記載の分析システム。
【請求項９】
複数の撮影装置の中から、撮影対象を撮影している第１の撮影装置に関連する第２の撮影装置を予め設定されている選択ルールに従って選択し、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する
分析方法。
【請求項１０】
複数の撮影装置の中から、撮影対象を撮影している第１の撮影装置に関連する第２の撮影装置を予め設定されている選択ルールに従って選択する処理と、
ネットワークにおけるデータ通信量を制御するネットワーク制御装置に、前記第２の撮影装置に許容される単位時間当たりのデータ送信量を変更させるべく、前記第２の撮影装置に関するデータ送信量の変更要求を前記ネットワーク制御装置に送信する処理と
をコンピュータに実行させるコンピュータプログラム。
【国際調査報告】
2019026985.tif 000012
2019026985.tif 000013